(57)【要約】【課題】  ディスク等の情報記憶媒体を交換する際などの操作の利便性と、運転者の注意力を逸らすことがない高い安全性とを備えた車載情報装置を得る。【解決手段】  制御部７は、表示パネル２を閉状態に設定しているときには、プッシュスイッチ４の中の開閉スイッチ４ａからの所定の開状態設定の操作情報を基にこの表示パネル２を開閉手段３により開状態に設定し、表示パネル２を開状態に設定しているときには、開閉スイッチ４ａを含むプッシュスイッチ４、タッチパネル５またはタッチセンサ６からの何れの操作情報であってもこれら操作情報を閉状態に設定する操作情報として解釈し、この操作情報を基に表示パネル２を閉状態に設定する。【選択図】        図１
2006318537.tif 000002
【特許請求の範囲】
【請求項１】
所定位置の装填部に装填された情報記憶媒体から記憶情報を読み取る情報読取手段と、
前記情報読取手段で読み取った情報またはその他情報を表示する情報表示手段と、
前記情報表示手段を表示情報視認可能な閉状態、または前記装填部に情報記憶媒体を装填若しくはイジェクトする状態の開状態に設定する開閉手段と、
入力操作に応じて操作情報を発する入力手段と、
前記情報表示手段を閉状態に設定しているときには、入力手段からの所定の開状態設定の操作情報を基に前記情報表示手段を開状態に設定し、開状態に設定しているときには、入力手段からの何れの操作情報であっても前記情報表示手段を閉状態に設定する制御手段とを備えた車載情報装置。
【請求項２】
制御手段は、情報表示手段を開状態に設定しているときには、全ての入力手段からの操作情報を閉状態に設定する操作情報として解釈し、この操作情報を基に前記情報表示手段を閉状態に設定することを特徴とする請求項１記載の車載情報装置。
【請求項３】
入力手段は、操作スイッチおよびタッチパネルからなることを特徴とする請求項１または請求項２記載の車載情報装置。
【請求項４】
入力手段は、情報表示手段が開状態に設定されているときのみ該情報表示手段を閉状態に設定する操作が有効となるように制御手段に扱われる操作情報を発するタッチセンサを備えたことを特徴とする請求項３記載の車載情報装置。
【発明の詳細な説明】
【技術分野】
【０００１】
この発明は操作の利便性と、車両運転上における高い安全性とを備えるようにした車載情報装置に関するものである。
【背景技術】
【０００２】
近年の車載情報装置は、ナビゲーション装置、表示パネル、ラジオ受信機機能、ＣＤ（Ｃｏｍｐａｃｔ  Ｄｉｓｃ）再生、ＭＤ（Ｍｉｎｉ  Ｄｉｓｃ）再生等の音響機器、ＤＶＤ（Ｄｉｇｉｔａｌ  Ｖｉｄｅｏ  Ｄｉｓｃ）再生機能等が一体化されている。
このように、この車載情報装置は車両の運転者、乗員等が経路を探索したり、音楽や映像を鑑賞したりするために多くの機能を備えているが、一体的に構成されているのでスペース的に制約のある車内に配置する場合に非常に適している。また、ユーザが容易に操作を行うことができるように、この車載情報装置は車両内部前面のダッシュボードに埋め込まれており、表示画面がユーザからの視認性がよくなるように考慮され、さらに、表示パネル面は上下あるいは左右に可動可能な開閉構造とし、ディスク等の情報記憶媒体の挿抜を行えるようにしている。
【０００３】
その一方、構造上は一見ユーザに対して便利ではあるが、多様な機能を実現するために多数のスイッチ類や操作ボタン等が搭載されており、このために操作が煩雑という問題があった。この問題に対処した従来の車載情報装置として例えば以下のものがある。
この従来例は情報記憶媒体を装填部から取り出すためのイジェクトボタンを内面板に配設せずに、表示装置に配設された操作ボタンを前記イジェクトボタンとしても機能させるようにし、これにより操作ボタン数を減らし、操作性を向上したもので、その構成として、情報記憶媒体が装填される装填部が配設された内面板と、閉じた状態で該内面板を覆い、開いた状態で前記情報記憶媒体装填部への情報記憶媒体の装填が可能となるように開閉可能に取り付けられた表示装置と、該表示装置に配設され、前記情報記憶媒体をイジェクトさせる機能と他の機能とを兼ね備える操作ボタンとを有している（例えば、特許文献１参照）。
【０００４】
【特許文献１】特開２００２−３２４３８６号公報
【発明の開示】
【発明が解決しようとする課題】
【０００５】
従来の車載情報装置は以上のように構成されているので、表示装置に配設された操作ボタンをイジェクトボタンとしても機能させることにより操作ボタン数を減らし、操作性を向上している。
一方、従来の車載情報装置は前述のように、ディスク等の情報記憶媒体の挿抜を行えるようにするために表示パネル面は上下あるいは左右に可動可能な開閉構造としている。従って、例えばディスクを交換する場合、「開閉スイッチ」を操作して表示パネル面を開状態にし、新たなディスクを挿入後に再度、前記「開閉スイッチ」を操作して表示パネル面を閉状態に戻すという二重の操作作業が必要となる。このため、車両運転中の運転者がこの操作を行った場合、運転者の注意力がこの二重の操作作業の方に逸らされるという問題があった。特に、近年ではユーザの嗜好により、表示パネルは巨大化する一途であり、限られた面積の中では前記開閉スイッチに割り当てることが可能な領域は狭くなり、そのためにスイッチが小形化し、さらに照明も暗くなり、スイッチが押し難いという問題もあった。このため、夜間などではスイッチ類を手探りで探す事態となり、その間運転者は運転に集中できないという安全上の問題もあった。また、表示パネルは可動式であるため、表示パネルを開状態にしたときには表示パネル面が垂直面から水平面に変化しているため、運転席からはスイッチが見え難いという問題もあった。
以上説明のように、ディスク等の情報記憶媒体の交換等においては解決を要する種々の問題点が存在していたが、これに対し、前述の従来例は情報記憶媒体のイジェクトに関する操作性向上の技術であり、ディスク等の情報記憶媒体を交換する際などの操作性向上の技術ではない。従って、前記問題点が依然として未解決の状態であった。
【０００６】
この発明は上記のような課題を解決するためになされたもので、ディスク等の情報記憶媒体を交換する際などの操作の利便性と、運転者の注意力を逸らすことがない高い安全性とを備えた車載情報装置の実現を目的とする。
【課題を解決するための手段】
【０００７】
この発明に係る車載情報装置は、装填部に装填された情報記憶媒体から記憶情報を読み取る情報読取手段と、前記情報読取手段で読み取った情報等を表示する情報表示手段と、前記情報表示手段を閉状態または開状態に設定する開閉手段と、入力操作に応じて操作情報を発する入力手段と、前記情報表示手段を閉状態に設定しているときには、入力手段からの所定の開状態設定の操作情報を基に前記情報表示手段を開状態に設定し、開状態に設定しているときには、入力手段からの何れの操作情報であっても前記情報表示手段を閉状態に設定する制御手段とを備えたものである。
【発明の効果】
【０００８】
この発明によれば、情報表示手段を閉状態に設定しているときには、入力手段からの所定の開状態設定の操作情報を基に前記情報表示手段を開状態に設定する一方、開状態に設定しているときには、入力手段からの何れの操作情報であっても前記情報表示手段を閉状態に設定するように構成したので、情報表示手段を開状態にした後のこの開状態から閉状態に戻す処理が極めて容易となり、特に、車内が暗い夜間などでの運転時に有効となり、これにより、情報記憶媒体を交換する際などの操作の利便性と、運転者の注意力を逸らすことがない高い安全性とを備えた車載情報装置を実現することができる。
【発明を実施するための最良の形態】
【０００９】
以下、この発明の実施の一形態を説明する。
実施の形態１．
図１はこの発明の実施の形態１による車載情報装置の構成を示すブロック図である。
図１において、この車載情報装置は、情報読取手段１、表示パネル２、開閉手段３、プッシュスイッチ４、タッチパネル５、タッチセンサ６、制御部７およびメモリ部８とで構成される。
上記構成において、情報読取手段１は所定位置の装填部に装填された情報記憶媒体から記憶情報を読み取るものであり、この記憶情報を読み取るためのドライブ装置を備えている。ここで、情報記憶媒体にはＣＤ、ＭＤおよびＤＶＤ等のディスク関連の他に、さらに他の情報記憶媒体、例えばカセットテープやビデオテープ等の磁気テープ、半導体メモリカード、光磁気ディスク、光カード、ＩＣカード、磁気カード等も含めてもよい。
【００１０】
表示パネル２は情報表示手段を形成し、例えば液晶ディスプレイ（ＬＣＤ）で構成され、前記情報読取手段１で読み取った情報またはその他情報を表示する。
開閉手段３はモータを利用した開閉機構を有し、情報表示手段を形成する表示パネル２を表示情報視認可能な閉状態、または前記装填部に情報記憶媒体を装填若しくはイジェクトする状態の開状態に設定する。
プッシュスイッチ４は複数からなる例えば機械式のプッシュスイッチの総称（集合体）であり、電源スイッチ、ラジオとＣＤなどのモード切替スイッチおよびボリュームスイッチ等のユーザにとって操作使用頻度が高い主要なスイッチが割り当てられている。特に、プッシュスイッチ４，４ａは表示パネル２を開状態または閉状態に設定する際に操作する開閉スイッチである。
タッチパネル５は表示パネル２の面上の所要箇所をタッチ操作するものであり、例えば表示パネル２の面上に貼付され、ユーザがタッチ操作可能とした静電容量式のタッチパネルである。この静電容量式のタッチパネルはユーザのタッチ（接触）を電気信号にて検知するもので、近年では一般的なタッチパネルとなっており、特に地図画面のスクロールなどでのユーザの使い易さを実現する手段となっている。
【００１１】
タッチセンサ６は表示パネル２を開状態から閉状態に戻すときにタッチ操作するもので、この閉状態に戻すときのみタッチ有効となるようにしたものであり、ユーザがタッチし易い位置に貼付等して配置するようにする。また、このタッチセンサ６はタッチパネル５と同一構造の静電容量式であり、ユーザのタッチ（接触）を電気信号にて検知する。このタッチセンサ６の配置等については後述する。
上記プッシュスイッチ４、タッチパネル５およびタッチセンサ６とで入力手段を形成し、これら各々は入力操作に応じた操作情報を発する。
制御部７は情報読取手段１における情報記憶媒体の装填状態および表示パネル２の開閉状態をそれぞれ判定し、この判定結果と、プッシュスイッチ４、タッチパネル５またはタッチセンサ６からの操作情報とを基に開閉手段３を介し表示パネル２を開閉制御するもので、例えばマイクロコンピュータ（マイコン）で構成する。
メモリ部８は制御部７をマイクロコンピュータで構成したときに、このマイクロコンピュータが実行する制御プログラムを予め記憶しているものである。
上記制御部７およびメモリ部８とで制御手段を形成する。
【００１２】
次に、制御部７の内部構成について図２で説明する。
図２は図１の制御部７の内部構成を示すブロック図である。
図２において、この制御部７はプッシュスイッチ押下検知手段７ａ、タッチパネル・タッチ検知手段７ｂ、タッチセンサ・タッチ検知手段７ｃ、開閉判定手段７ｄ、動作切換手段７ｅ、装填状態判定手段７ｆおよび開閉指示手段７ｇとを内部構成として備えている。
上記構成において、プッシュスイッチ押下検知手段７ａはプッシュスイッチ４のいずれかのスイッチが押下操作されたときに、その押下操作を検知する。
タッチパネル・タッチ検知手段７ｂはタッチパネル５のいずれかのタッチ箇所がタッチ操作されたときに、そのタッチ操作を検知する。
上記プッシュスイッチ押下検知手段７ａおよびタッチパネル・タッチ検知手段７ｂは後述の動作切換手段７ｅにより表示パネル２の開閉状態に応じて操作検知の動作が切り換えられる。
タッチセンサ・タッチ検知手段７ｃは表示パネル２が開状態にあるときにのみタッチセンサ６に対するタッチ操作を検知し、表示パネル２が閉状態にあるときにはこのタッチ操作を検知しない。この検知または非検知は後述の動作切換手段７ｅにより設定される。
開閉判定手段７ｄは表示パネル２が開状態または閉状態のいずれの状態であるかについて判定する。
【００１３】
動作切換手段７ｅは開閉判定手段７ｄにおいて表示パネル２が開状態と判定されたときに、プッシュスイッチ押下検知手段７ａおよびタッチパネル・タッチ検知手段７ｂそれぞれによる前述の操作検知の動作を通常（本来）の操作検知から切り換えるものであり、具体的には、プッシュスイッチ４またはタッチパネル５の操作に応じて発せられる全ての操作情報を、表示パネル２を閉状態に設定する操作情報として解釈するようにプッシュスイッチ押下検知手段７ａまたはタッチパネル・タッチ検知手段７ｂの操作検知の動作を切り換え設定する。これにより、表示パネル２が開状態にあるときにはプッシュスイッチ４（開閉スイッチ４ａ含む）またはタッチパネル５のいずれの操作箇所の操作を検知した場合においても、プッシュスイッチ押下検知手段７ａまたはタッチパネル・タッチ検知手段７ｂからは表示パネル２を閉状態に設定する操作情報が後述の開閉指示手段７ｇへ送出されることとなる。
また、表示パネル２が上記のように開状態と判定されたときには、動作切換手段７ｅはタッチセンサ６がタッチ操作されたときに、そのタッチ操作により発せられる操作情報を、表示パネル２を閉状態に設定する有効な操作情報として検知し、この操作情報を後述の開閉指示手段７ｇへ送出するようにタッチセンサ・タッチ検知手段７ｃを設定する。
【００１４】
上記に対し、表示パネル２が閉状態と判定されているときには、動作切換手段７ｅはプッシュスイッチ押下検知手段７ａおよびタッチパネル・タッチ検知手段７ｂに対し通常の操作検知の動作となるように設定する。従って、表示パネル２が閉状態と判定されているときには所定の操作箇所に基づく所定の開状態設定の操作情報が後述の開閉指示手段７ｇへ送出され、この操作情報を基に表示パネル２が開状態に設定されることとなる。例えば、プッシュスイッチ４の中で予め設定した開閉スイッチ４ａが操作されたときのみ開状態設定の操作情報がプッシュスイッチ押下検知手段７ａより後述の開閉指示手段７ｇへ送出され、この操作情報のみにより表示パネル２が開状態に設定される
また、表示パネル２が上記のように閉状態と判定されたときには、動作切換手段７ｅはタッチセンサ６がタッチ操作されても、そのタッチ操作を検知しないようにタッチセンサ・タッチ検知手段７ｃを設定する。従って、このタッチセンサ・タッチ検知手段７ｃからは後述の開閉指示手段７ｇに対して操作情報は送出されない。これにより、タッチセンサ６は表示パネル２が開状態と判定されたときのみタッチ機能が有効となるセンサとなる。
【００１５】
装填状態判定手段７ｆは情報読取手段１における情報記憶媒体の装填状態を判定するものであり、具体的には、情報記憶媒体は一切装填されていないのか、または例えばＣＤ等のディスクが所定の装填部に適正に装填（挿入）されているのかについて判定する。ここで、例えばＣＤ等のディスクの一部が挿入口からはみ出ているような装填中途の装填状態は「適正な装填」として判定しない。
また、装填状態判定手段７ｆは開閉判定手段７ｄより表示パネル２が開状態または閉状態のいずれの状態であるかについての判定結果を取得し、この表示パネル２の開閉状態に関する判定結果と前述の情報記憶媒体装填状態の判定結果とを基に以下に説明する開閉指示手段７ｇに対し表示パネル２の開閉可否について設定する。
【００１６】
例えば、開閉判定手段７ｄの判定結果が「表示パネル２・閉状態」であり、且つ、情報読取手段１における情報記憶媒体の装填状態の判定結果が「情報記憶媒体は一切装填されていない、または情報記憶媒体が所定の装填部に適正に装填されている」である場合には、装填状態判定手段７ｆは開閉指示手段７ｇに対し「開状態設定可」を設定する。
また、開閉判定手段７ｄの判定結果が「表示パネル２・開状態」であり、且つ、情報読取手段１における情報記憶媒体の装填状態の判定結果が「情報記憶媒体は一切装填されていない、または情報記憶媒体が所定の装填部に適正に装填されている」である場合には、装填状態判定手段７ｆは開閉指示手段７ｇに対し「閉状態設定可」を設定する。
これに対し、開閉判定手段７ｄの判定結果が「表示パネル２・開状態」であるが、情報読取手段１における情報記憶媒体の装填状態の判定結果が「情報記憶媒体が適正に装填されていない」である場合、装填状態判定手段７ｆは開閉指示手段７ｇに対し「閉状態設定可」の設定はしない。例えば前述のようにＣＤ等のディスクの一部が挿入口からはみ出ているような装填状態の場合には開閉指示手段７ｇによる閉状態設定を非動作にする。
【００１７】
開閉指示手段７ｇは装填状態判定手段７ｆにより設定される前述の「開状態設定可」または「閉状態設定可」に従い表示パネル２を開状態または閉状態に設定する指示情報を開閉手段３に対し出力する。また、装填状態判定手段７ｆにより「閉状態設定可」が設定されない場合には、開閉指示手段７ｇは開閉手段３に対する指示情報は出力ない。ここで、表示パネル２の開状態の設定は前述のようにプッシュスイッチ押下検知手段７ａによる検知に従い、閉状態の設定はプッシュスイッチ押下検知手段７ａ、タッチパネル・タッチ検知手段７ｂまたはタッチセンサ・タッチ検知手段７ｃのいずれの検知にも従う。
【００１８】
次に、前記図１のように構成される車載情報装置の外観について以下に説明する。
図３はこの発明の実施の形態１による車載情報装置の外観斜視図であり、表示パネル２を閉じた状態（閉状態）を示す図である。なお、図１と同一のものについては同一符号を付してあり、それら同一符号のものについての説明は省略する。
図３において、表示パネル２が図示のように閉状態であるときが表示される情報について視認可能な通常の状態である。車載情報装置正面に配置された表示パネル２にはユーザの視認性を確保するために可能な限り大きくした液晶ディスプレイ（ＬＣＤ）２ａを採用している。この液晶ディスプレイ（ＬＣＤ）２ａの面上には図１で説明した静電容量式のタッチパネル５が貼付されている。また、この表示パネル２の左右端部にはユーザが操作するためのプッシュスイッチが配置され、この中の一つが表示パネル２を開状態に設定する際に操作する開閉スイッチ４ａとして割り当てられている。例えばユーザがディスクを挿抜する場合には、この開閉スイッチ４ａを押し下げ操作することによりモータ３（図１）が回転起動し、表示パネル２を閉状態から開状態へ移行させる。この開閉スイッチ４ａを操作した後の表示パネル２の開状態を図４に示す。
【００１９】
図４はこの発明の実施の形態１による車載情報装置の外観斜視図であり、表示パネル２を開いた状態（開状態）を示す図である。なお、図１または図３と同一のものについては同一符号を付してあり、それら同一符号のものについての説明は省略する。
図４において、表示パネル２を開状態にした後の装置正面には２箇所のディスク装填部１１ａ，１１ｂが現れ、ディスクの挿抜を装置正面から操作可能にしている。なお、この図４は２つのディスク装填部１１ａ，１１ｂとして描いてあるが、これは例示であり、ディスク装填部をＣＤ、ＭＤおよびＤＶＤに対応させて増やしてもよく、さらに、カセットテープやビデオテープ等の磁気テープ、半導体メモリカード、光磁気ディスク、光カード、ＩＣカード、磁気カード等を装填する装填部を設けてもよい。
【００２０】
次に、表示パネル２の表示面側の構成について図５で説明する。
図５はこの発明の実施の形態１による車載情報装置の表示パネル２の正面図である。
なお、図１または図３と同一のものについては同一符号を付してあり、それら同一符号のものについての説明は省略する。
図５において、タッチパネル５が貼付される表示パネル２の表示面側は図示のように、殆どの部分はＬＣＤ２ａにより占有され、表示パネル２の左右端部には電源スイッチ、表示パネル２の開閉スイッチ４ａ、モード切替スイッチおよびボリュームスイッチ等の複数からなるプッシュ式のプッシュスイッチ４が配置されている。
【００２１】
次に、タッチセンサ６の配置について図６で説明する。
図６はこの発明の実施の形態１による車載情報装置において使用するタッチセンサ６の配置例の説明図である。なお、図１または図4と同一のものについては同一符号を付してあり、それら同一符号のものについての説明は省略する。
前述のように、タッチセンサ６は表示パネル２を開状態から閉状態に戻すときにタッチ操作するもので、表示パネル２が開状態と判定されているときのみタッチ操作が有効となる機能のセンサである。
このため、タッチセンサ６はユーザがタッチし易い位置に配置する。
図６は図４と同様に表示パネル２の開状態を示しており、この開状態時においてタッチし易いように、タッチセンサ６を例えば図示のように表示パネル２の下面側に貼付する。これにより、ユーザは表示パネル２を開状態から閉状態に戻す操作を一層容易に行えることとなる。
【００２２】
次に図１および図２の構成における表示パネル２の開閉動作について図７で説明する。
図７はこの発明の実施の形態１による車載情報装置における表示パネル２の開閉動作の処理を示すフローチャートである。なお、このフローチャートはＣＤ、ＭＤまたはＤＶＤ等のディスクの装填に関するものとして説明する。
図７において、ステップＳＴ１では、制御部７のプッシュスイッチ押下検知手段７ａは表示パネル２の開状態設定用として設けたプッシュスイッチ４中の開閉スイッチ４ａがユーザにより押し下げ（プッシュ）られたかについて判定し、押し下げられた場合（ステップＳＴ１―ＹＥＳ）、ステップＳＴ２へ進む。
この判定時において、開閉判定手段７ｄは表示パネル２が閉状態にあることを判定しており、この判定に従い、動作切換手段７ｅはプッシュスイッチ押下検知手段７ａおよびタッチパネル・タッチ検知手段７ｂに対し通常の操作検知の動作となるように設定している。従って、プッシュスイッチ押下検知手段７ａは開閉スイッチ４ａの機能（開状態設定）を検知可能な状態にある。
また、装填状態判定手段７ｆはディスクが適正に装填（挿入）され、または装填されていない状態にあることを判定している。この装填状態判定手段７ｆの判定結果および上述の開閉判定手段７ｄの判定結果を基に、装填状態判定手段７ｆは開閉指示手段７ｇを「開状態設定可」に設定している。
【００２３】
ステップＳＴ２では、制御部７の開閉指示手段７ｇは開閉手段３に対し、表示パネル２を開状態に設定する指示情報を出力し、表示パネル２を開状態に設定する。
ステップＳＴ１で説明したように、開閉指示手段７ｇは装填状態判定手段７ｆより「開状態設定可」に設定されている。従って、プッシュスイッチ押下検知手段７ａにより開閉スイッチ４ａの操作が検知されたときには、開閉指示手段７ｇからは開閉手段３に対し、表示パネル２を開状態に設定する指示情報が出力され、上述のように表示パネル２が開状態に設定されることとなる。
ステップＳＴ３では、制御部７の動作切換手段７ｅはプッシュスイッチ押下検知手段７ａおよびタッチパネル・タッチ検知手段７ｂそれぞれの通常の検知動作を切り換え、プッシュスイッチ４またはタッチパネル５の何れの操作箇所を押し下げ操作またはタッチ操作してもそれらの操作に応じて発せられる全ての操作情報を、表示パネル２を閉状態に設定する指令情報として解釈するように設定する。
また、動作切換手段７ｅはタッチセンサ６がタッチ操作されたときに、そのタッチ操作により発せられる操作情報を、表示パネル２を閉状態に設定する有効な操作情報として検知するようにタッチセンサ・タッチ検知手段７ｃを設定する。
表示パネル２が開状態に設定された場合（ステップＳＴ２）、開閉判定手段７ｄは表示パネル２が開状態にあることを判定する。この判定に従い、動作切換手段７ｅは上述のように検知動作を切り換えることとなる。
【００２４】
ステップＳＴ４では、制御部７の装填状態判定手段７ｆは情報読取手段１におけるディスクの装填状態が適正か、またはディスクは装填されていないのかについて判定する。
この場合、前述のようにディスクの一部が挿入口からはみ出ているような装填状態は「適正な装填」として判定しない。
また、このステップＳＴ４の段階では、装填状態判定手段７ｆは開閉判定手段７ｄより表示パネル２が「開状態」の判定結果を取得している。従って、ディスクの装填が適正であるときまたはディスクが装填されていないときには、装填状態判定手段７ｆは開閉指示手段７ｇに対し「閉状態設定可」を設定することとなる。
これに対し、ディスクの一部が挿入口からはみ出ているような装填不適正な状態の場合には、装填状態判定手段７ｆは「閉状態設定可」の設定をすることなく開閉支持手段７ｇを非動作にする。
以上のように、装填状態判定手段７ｆが開閉判定手段７ｄより「開状態」の判定結果を取得しており、ディスクの装填が適正またはディスクは装填されていない判定の場合（ステップＳＴ４―ＹＥＳ）、ステップＳＴ５，６，７へ進む。
【００２５】
ステップＳＴ５では、制御部７のプッシュスイッチ押下検知手段７ａはプッシュスイッチ４のいずれかの押し下げの有無を判定し、この押し下げを検知しない場合は（ステップＳＴ５―ＮＯ）、ステップＳＴ６へ進み、押し下げを検知した場合は（ステップＳＴ５―ＹＥＳ）、ステップＳＴ８へ進む。
ステップＳＴ６では、制御部７のタッチパネル・タッチ検知手段７ｂはタッチパネル５に対するタッチ（触れ）操作の有無を判定し、このタッチ操作を検知しない場合は（ステップＳＴ６―ＮＯ）、ステップＳＴ７へ進み、タッチ操作を検知した場合は（ステップＳＴ６―ＹＥＳ）、ステップＳＴ８へ進む。
ステップＳＴ７では、制御部７のタッチセンサ・タッチ検知手段７ｃはタッチセンサ６に対するタッチ（触れ）操作の有無を判定し、このタッチ操作を検知した場合は（ステップＳＴ７―ＹＥＳ）、ステップＳＴ８へ進む。これに対し、タッチ操作を検知しない場合は（ステップＳＴ７―ＮＯ）、前記ステップＳＴ５の動作へ戻る。
【００２６】
ステップＳＴ８では、制御部７の開閉指示手段７ｇは開閉手段３に対し、表示パネル２を閉状態に設定する指示情報を出力し、表示パネル２を閉状態に設定する。この閉状態は前記ステップＳＴ５，６，７の処理から理解できるように、プッシュスイッチ４、タッチパネル５またはタッチセンサ６の何れの操作箇所を操作しても設定されることとなる。
ステップＳＴ９では、制御部７の動作切換手段７ｅはステップＳＴ３で切り換えたプッシュスイッチ押下検知手段７ａおよびタッチパネル・タッチ検知手段７ｂの検知動作を通常の検知動作に復帰させるように切り換える。
また、動作切換手段７ｅはタッチセンサ６がタッチ操作されても、そのタッチ操作を検知しないようにタッチセンサ・タッチ検知手段７ｃを設定する。
表示パネル２が閉状態に設定された場合（ステップＳＴ８）、開閉判定手段７ｄは表示パネル２が閉状態にあることを判定する。この判定に従い、動作切換手段７ｅは上述のようにプッシュスイッチ押下検知手段７ａおよびタッチパネル・タッチ検知手段７ｂの検知動作を通常の検知動作に復帰させ、また、タッチセンサ６をタッチ操作非検知の状態に戻すこととなる。
【００２７】
上記フローチャートはＣＤ、ＭＤまたはＤＶＤ等のディスクの装填に関するものとして説明したが、例えばカセットテープ等の他の情報記憶媒体についても適用できることはいうまでもない。この場合、ステップＳＴ４において、制御部７の装填状態判定手段７ｆは情報読取手段１における情報記憶媒体の装填状態が適正か、または情報記憶媒体は装填されていないのかについて判定し、その他のステップについては前記説明と同様に処理すればよい。
【００２８】
また、以上の説明においては、タッチセンサ６は表示パネル２を開状態から閉状態に設定するときのみタッチ機能が有効となるセンサとしたが、これに代えて、表示パネル２が開状態に設定されているときには閉状態に設定し、表示パネル２が閉状態に設定されているときには開状態に設定するようなタッチ機能のセンサとしてもよい。この場合、制御部７の動作切換手段７ｅは開閉判定手段７ｄの判定結果を基にタッチセンサ・タッチ検知手段７ｃを以下のように設定する。即ち、開閉判定手段７ｄにおいて表示パネル２が開状態と判定されたときにはタッチ操作による操作情報を閉状態に設定する操作情報として検知し、閉状態と判定されたときには開状態に設定する操作情報として検知し、この操作情報を開閉指示手段７ｇへ送出するように設定する。
また、上記のようなタッチ機能にする場合には、タッチセンサ６を貼付する位置は図６で説明した位置に代え、表示パネル２が開状態または閉状態のいずれの状態でもタッチ容易な位置に貼付する。例えば表示パネル２の表示面側下端の空白部分に貼付する。
【００２９】
以上のように、この実施の形態１によれば、表示パネル２を閉状態に設定しているときには、例えばプッシュスイッチ４の開閉スイッチ４ａからの所定の開状態設定の操作情報を基にこの表示パネル２を開状態に設定する一方、開状態に設定しているときには、前記開閉スイッチ４ａを含むプッシュスイッチ４またはタッチパネル５からの何れの操作情報であってもこれら操作情報を閉状態に設定する操作情報として解釈し、この操作情報を基に表示パネル２を閉状態に設定するように構成したので、表示パネル２を開状態にした後のこの開状態から閉状態に戻す処理が極めて容易となり、特に、車内が暗い夜間などでの運転時に有効となり、これにより、情報記憶媒体を交換する際等の操作の利便性と、運転者の注意力を逸らすことがない高い安全性とを備えた車載情報装置を実現することができる。
また、表示パネル２が開状態に設定されているときのみこの表示パネル２を閉状態に設定するタッチ操作が有効となるタッチセンサ６をタッチ容易な位置に設けているので、表示パネル２を閉状態に設定する操作箇所が更に増え、表示パネル２を開状態から閉状態に戻す処理を一層容易にすることができる。
【図面の簡単な説明】
【００３０】
【図１】この発明の実施の形態１による車載情報装置の構成を示すブロック図である。
【図２】図１の制御部の内部構成を示すブロック図である。
【図３】この発明の実施の形態１による車載情報装置の外観斜視図であり、表示パネルを閉じた状態を示す図である。
【図４】この発明の実施の形態１による車載情報装置の外観斜視図であり、表示パネルを開いた状態を示す図である。
【図５】この発明の実施の形態１による車載情報装置の表示パネルの正面図である。
【図６】この発明の実施の形態１による車載情報装置において使用するタッチセンサの配置例の説明図である。
【図７】この発明の実施の形態１による車載情報装置における表示パネルの開閉動作の処理を示すフローチャートである。
【符号の説明】
【００３１】
１  情報読取手段、２  表示パネル、２ａ  液晶ディスプレイ（ＬＣＤ）、３  開閉手段、４  プッシュスイッチ、４ａ  開閉スイッチ、５  タッチパネル、６  タッチセンサ、７  制御部、７ａ  プッシュスイッチ押下検知手段、７ｂ  タッチパネル・タッチ検知手段、７ｃ  タッチセンサ・タッチ検知手段、７ｄ  開閉判定手段、７ｅ  動作切換手段、７ｆ  装填状態判定手段、７ｇ  開閉指示手段、８  メモリ部、１１ａ，１１ｂ  ディスク装填部。
【図１】
2006318537.tif 000003
【図２】
2006318537.tif 000004
【図３】
2006318537.tif 000005
【図４】
2006318537.tif 000006
【図５】
2006318537.tif 000007
【図６】
2006318537.tif 000008
【図７】
2006318537.tif 000009